(57)【特許請求の範囲】
【請求項１】
ホルダ本体とこのホルダ本体に開閉可能に取り付けられた鋼製の蓋体とで光ファイバ心線を挟んで把持する光ファイバホルダであって、
前記ホルダ本体の上面の長手方向の片側に、単心光ファイバ心線の周囲に抗張力繊維を持つ複数本の単心光ファイバコードの露出させた各単心光ファイバ心線を規定のピッチでそれぞれ位置決め収容する互いに平行な複数の調心溝を形成し、前記複数の調心溝の領域に対応する蓋体の内側面に、各調心溝に収容された単心光ファイバ心線を押さえる挟持部材を設け、前記調心溝は、ホルダ本体の上面に形成した前記挟持部材が嵌合可能な浅い係合溝内において形成されており、
ホルダ本体の上面の長手方向の他側に各コード部をまとめて収容するコード部用溝を設け、前記コード部用溝の領域に対応する蓋体の内側面に、コード部用溝に収容された単心光ファイバコードを押さえる挟持部材を設け、
前記調心溝のある片側部分とコード部用溝のある他側部分とのホルダ本体長手方向の中間部に、前記抗張力繊維を側方に引き出すためのホルダ本体幅方向に伸びる溝状の空間部を形成したことを特徴とする光ファイバホルダ。
【発明の詳細な説明】
【０００１】
【発明の属する技術分野】
この発明は，光コネクタ組立用治具あるいは光ファイバ加工機器用治具等として用いられる光ファイバホルダに関する。
【０００２】
【従来の技術】
一般に，例えば簡易組み立て光コネクタを組み立てる場合，光ファイバ心線の被覆を除去する際および光コネクタを組み立てる際に，光ファイバ心線を精度よく位置決め固定するための固定治具として，光ファイバホルダが使用されている。また，光ファイバ切断装置や光ファイバ融着接続装置等の光ファイバ加工機器においては，光ファイバ心線を機器上で精度良く位置決め固定するための固定治具として光ファイバホルダが用いられる。
【０００３】
この種の光ファイバホルダは、ホルダ本体とこのホルダ本体に開閉可能に取り付けられた蓋体とからなり、ホルダ本体の上面に形成した調心溝に光ファイバ心線を収容し、蓋体で上から挟んで光ファイバ心線を把持する構造であるが、従来の光ファイバホルダはいずれも、１本の単心線（単心光ファイバ心線）、または１本のテープ心線（テープ形光ファイバ心線）を把持するものであった。
【０００４】
この種の従来の単心線用の光ファイバホルダを図９、図１０に示す。図９は従来の光ファイバホルダ１の平面図、図１０は使用状態の側面図である。
この光ファイバホルダ１は、ホルダ本体２の上面に、光ファイバ心線３を位置決め収容する１本の調心溝４を長手方向の全長にわたって設けるとともに、この調心溝３
に収容した光ファイバ心線３を把持するための蓋体５、 ５をホルダ本体２にヒンジ軸７を介して開閉可能に取り付けた構造である。なお、図９は一方の蓋体５を開いた状態で示している。
【０００５】
【発明が解決しようとする課題】
上記従来の光ファイバホルダ１は単心線用であり，単心の光コネクタを組み立てる場合には好都合であるが、多心の光コネクタの組み立てには使用できない。多心の光コネクタを組み立てる場合、従来は、複数の光ファイバ心線をテープ化する必要、すなわちテープ心線とする必要があり、複数の単心線をそのまま用いて多心の光コネクタの組み立てを行うことができなかった。
また、このことは光ファイバ切断装置や光ファイバ融着接続装置等の光ファイバ加工機器においても同様であり、複数の単心線を、テープ心線における各心線のようにまとめて処理することはできなかった。
【０００６】
本発明は上記従来の事情に鑑みてなされたもので，複数の単心線をそのままの状態で例えば多心光コネクタの組み立てに用いること等を可能にする光ファイバホルダを提供することを目的とする。
【０００８】
【課題を解決するための手段】
上記課題を解決する本発明は、ホルダ本体とこのホルダ本体に開閉可能に取り付けられた鋼製の蓋体とで光ファイバ心線を挟んで把持する光ファイバホルダであって、
前記ホルダ本体の上面の長手方向の片側に、単心光ファイバ心線の周囲に抗張力繊維を持つ複数本の単心光ファイバコードの露出させた各単心光ファイバ心線を規定のピッチでそれぞれ位置決め収容する互いに平行な複数の調心溝を形成し、前記複数の調心溝の領域に対応する蓋体の内側面に、各調心溝に収容された単心光ファイバ心線を押さえる挟持部材を設け、前記調心溝は、ホルダ本体の上面に形成した前記挟持部材が嵌合可能な浅い係合溝内において形成されており、
ホルダ本体の上面の長手方向の他側に各コード部をまとめて収容するコード部用溝を設け、前記コード部用溝の領域に対応する蓋体の内側面に、コード部用溝に収容された単心光ファイバコードを押さえる挟持部材を設け、
前記調心溝のある片側部分とコード部用溝のある他側部分とのホルダ本体長手方向の中間部に、前記抗張力繊維を側方に引き出すためのホルダ本体幅方向に伸びる溝状の空間部を形成したことを特徴とする。
【０００９】
【発明の実施の形態】
以下、本発明の実施の形態を図１〜図８を参照して説明する。図１は本発明の一実施形態の光ファイバホルダ１１の斜視図、図２は図１の光ファイバホルダにおけるホルダ本体１２の平面図、図３は図２のＡ−Ａ断面図（ただし蓋体を閉じた状態）、図４は図２のＢ−Ｂ断面図、図５は図２のＣ−Ｃ断面図である。これらの図に示すように、この光ファイバホルダ１
１は、プラスチック製のホルダ本体１２と、このホルダ本体１２に開閉可能に取り付けられた鋼製の２つの蓋体１３、１４とからなっている。
【００１０】
なお、この実施形態の光ファイバホルダ１１は、図６、図７にも示すように、２本の単心光ファイバコード３０の各光ファイバ心線３１を把持する場合のものであり、図８にその単心光ファイバコード３０の断面を示す。図８において、３２は光ファイバ心線３１の外周を被覆した抗張力繊維、３３はＰＶＣ外被である。
【００１１】
前記ホルダ本体１１には、図２、図４等に詳細を示すように、その上面の長手方向の片側（図２等で左側）に２本の光ファイバコード３０の露出させた各光ファイバ心線３１を位置決め収容する断面Ｖ字形の調心溝１５を２本互いに平行に設け、他側（図２等で右側）に各コード部３０ａをまとめて収容するコード部用溝１６を設けている。また、中間部に、抗張力繊維３２を側方に引き出すための空間部１７を形成している。
【００１２】
前記調心溝１５は，一方の蓋体１３側の後述の挟持部材２４が係合する浅い係合溝２０の中央部に並べて形成している。なお、図２に示すように、調心溝１５の両端部では前記係合溝２０は形成せず、調心溝１５がホルダ本体１２の表面から直接深いＶ字形に形成されている。また，ホルダ本体１２には，鋼製である蓋体１３，１４をそれぞれ吸着するためのマグネット２１を微小寸法没するように埋設している。
【００１３】
前記の一方の蓋体１３は前記調心溝１５に収容された光ファイバ心線３１を挟持するためのもの，他方の蓋体１４は前記コード部溝１６に収容されたコード部３０ａを挟持するためのものであり，両蓋体１３，１４は，ホルダ本体１２の側部に貫通させたヒンジ軸２３を介してホルダ本体１２に開閉可能に取り付けられている。また，蓋体１３の内側面の中央に光ファイバ心線３１を押さえるプラスチックからなる挟持部材２４を設け，蓋体１４の内面側の中央にコード部３０ａを押さえるゴムからなる挟持部材２５を設けている。
【００１４】
上記の光ファイバホルダ１１は、２本の単心光ファイバコード３０を用いて、例えば２心の光コネクタの組み立てを行う場合に用いることができる。この場合、予め，単心光ファイバコード３０の先端部の所定の長さについてＰＶＣ外皮３３を除去して抗張力繊維３２を露出させ，これをほぐして光ファイバ心線３１を露出させておく。そして、２本の単心光ファイバコード３０の露出させた各光ファイバ心線３１を２列の調心溝１５にそれぞれ収容し，各コード部３０ａをコード部用溝１６に収容する。この場合，抗張力繊維３２は，図６に示すように、空間部１７から側方に引き出し、後方に引き回しておく。
次いで，両蓋体１３，１４を閉ざす。この時，鋼製である両蓋体１３，１４はホルダ本体１２側のマグネット２１に吸着されるので，ホルダ本体１２と蓋体１３，１４とはこの吸着力で光ファイバ心線３１またはコード部３０ａを把持する。
【００１５】
上記により、２本の単心光ファイバコード３０の各光ファイバ心線３１を規定のピッチで正しく把持することができ、例えば、この２本の単心光ファイバコード３０を用いた２心の光コネクタの組み立てが可能となる。この場合、単心光ファイバコード３０の光ファイバ心線３１およびコード部３０ａを把持した光ファイバホルダ１１ごと、２心の光コネクタに装着して、２心光コネクタを組み立てる。したがって、従来のように、２心光コネクタの組み立てに必ずしも２心テープ心線を用いる必要はなくなる。
【００１７】
なお、ホルダ本体に設ける調心溝は２本に限らず任意であり、対象とする単心光ファイバコードの数に応じて設ける。
【００１８】
【発明の効果】
本発明の光ファイバホルダによれば、複数本の単心光ファイバコードの各単心光ファイバ心線を規定のピッチで正しく把持することが可能となった。
これにより、複数本の単心光ファイバコードの各単心光ファイバ心線をそのままの状態で、テープ心線における各心線と同様にまとめて取り扱うことが可能となり、複数本の単心光ファイバコードを用いて多心の光コネクタを組み立てること等が可能となった。したがって、テープ心線を用いるという制約がなくなる。
【図面の簡単な説明】
【図１】本発明の光ファイバホルダの一実施形態を示す斜視図である。
【図２】図１の光ファイバホルダのホルダ本体の平面図である。
【図３】図２の縮小したＡ−Ａ断面図である。
【図４】図２のＢ−Ｂ断面図である。
【図５】図２のＣ−Ｃ断面図である。
【図６】上記の光ファイバホルダで光ファイバコードの光ファイバ心線およびコード部を把持する状態を説明するもので、蓋体を開いた状態の模式的な平面図である。
【図７】図６に続いて蓋体を閉じた状態の平面図である。
【図８】上記の実施形態の光ファイバホルダが対象とする光ファイバコードの断面図である。
【図９】従来の光ファイバホルダの一方の蓋体を開いた状態の平面図である。
【図１０】図９の光ファイバホルダで光ファイバ心線を把持した状態の側面図である。
【符号の説明】
１１  光ファイバホルダ
１２ ホルダ本体
１３、１４ 蓋体
１５ 調心溝
１６ コード部用溝
２０ 係合溝
２１ マグネット
２３ ヒンジ軸
２４、２５ 挟持部材
３０ 光ファイバコード
３０ａ コード部
３１ 光ファイバ心線
【図１】
0003635561.tif 000002
【図２】
0003635561.tif 000003
【図３】
0003635561.tif 000004
【図４】
0003635561.tif 000005
【図５】
0003635561.tif 000006
【図６】
0003635561.tif 000007
【図７】
0003635561.tif 000008
【図８】
0003635561.tif 000009
【図９】
0003635561.tif 000010
【図１０】
0003635561.tif 000011